(57)【特許請求の範囲】
【請求項１】
焦点調整処理に用いられるセンサと、
非接触給電を行う給電装置から供給された電力を受ける受電手段と、
前記センサによるアナログ信号の生成が前記給電装置から受けた電力を用いて行われる場合は、前記給電装置からの電力供給が行われる場合に発生する磁界によって前記センサの出力が影響されることを通知するための情報を表示手段に表示するための制御を行う制御手段と
を有することを特徴とする電子機器。
【請求項２】
前記電子機器に接続されている電池が所定の残量を有していない場合、前記センサによるアナログ信号の生成は、前記給電装置から受けた電力を用いて行われることを特徴とする請求項１に記載の電子機器。
【請求項３】
前記電子機器に接続されている電池を前記給電装置から受けた電力を用いて充電する充電制御手段を有することを特徴とする請求項１または２に記載の電子機器。
【請求項４】
露出制御処理に用いられるセンサと、
非接触給電を行う給電装置から供給された電力を受ける受電手段と、
前記センサによるアナログ信号の生成が前記給電装置から受けた電力を用いて行われる場合は、前記給電装置からの電力供給が行われる場合に発生する磁界によって前記センサの出力が影響されることを通知するための情報を表示手段に表示するための制御を行う制御手段と
を有することを特徴とする電子機器。
【請求項５】
前記電子機器に接続されている電池が所定の残量を有していない場合、前記センサによるアナログ信号の生成は、前記給電装置から受けた電力を用いて行われることを特徴とする請求項４に記載の電子機器。
【請求項６】
前記電子機器に接続されている電池を前記給電装置から受けた電力を用いて充電する充電制御手段を有することを特徴とする請求項４または５に記載の電子機器。
【請求項７】
撮像素子と、
非接触給電を行う給電装置から供給された電力を受ける受電手段と、
前記撮像素子によるアナログ信号の生成が前記給電装置から受けた電力を用いて行われる場合は、前記給電装置からの電力供給が行われる場合に発生する磁界によって前記撮像素子の出力が影響されることを通知するための情報を表示手段に表示するための制御を行う制御手段と
を有することを特徴とする電子機器。
【請求項８】
前記電子機器に接続されている電池が所定の残量を有していない場合、前記撮像素子によるアナログ信号の生成は、前記給電装置から受けた電力を用いて行われることを特徴とする請求項７に記載の電子機器。
【請求項９】
前記電子機器に接続されている電池を前記給電装置から受けた電力を用いて充電する充電制御手段を有することを特徴とする請求項７または８に記載の電子機器。
【請求項１０】
アナログ信号の生成を行うセンサ手段と、
非接触給電を行う給電装置から供給された電力を受ける受電手段と、
前記センサ手段によるアナログ信号の生成が前記給電装置から受けた電力を用いて行われる場合は、前記給電装置からの電力供給が行われる場合に発生する磁界によって前記センサ手段の出力が影響されることを通知するための情報を表示手段に表示するための制御を行う制御手段と
を有することを特徴とする電子機器。
【請求項１１】
前記センサ手段は、焦点調整処理に用いられるセンサを有することを特徴とする請求項１０に記載の電子機器。
【請求項１２】
前記センサ手段は、露出制御処理に用いられるセンサを有することを特徴とする請求項１０に記載の電子機器。
【請求項１３】
前記センサ手段は、撮像素子を有することを特徴とする請求項１０に記載の電子機器。
【請求項１４】
前記電子機器に接続されている電池が所定の残量を有していない場合、前記センサ手段によるアナログ信号の生成は、前記給電装置から受けた電力を用いて行われることを特徴とする請求項１０から１３のいずれか１項に記載の電子機器。
【請求項１５】
前記電子機器に接続されている電池を前記給電装置から受けた電力を用いて充電する充電制御手段を有することを特徴とする請求項１０から１４のいずれか１項に記載の電子機器。
【発明の詳細な説明】
【技術分野】
【０００１】
本発明は、非接触給電を行う給電装置から供給された電力を受けることができる電子機器に関する。
【背景技術】
【０００２】
従来、デジタルカメラ、携帯電話などの電子機器の２次電池を充電する場合、電子機器を充電装置の所定位置に載置することで、電子機器と充電装置双方に設けられる充電用の端子が当接されて接触し、２次電池への充電が実行する接触充電方式が主流であった。
【０００３】
しかし、接触充電方式は、充電用端子が電子機器本体の外部に露出した構造となるため、ごみや水滴などの付着により充電装置の接続端子と接触不良が生じやすく、また、電子機器本体の接続端子を経由して静電気破壊を招き易いという欠点があった。
【０００４】
これに対して近年では、非接触充電方式が提案されている。この非接触充電方式を用いた充電システムとしては、特許文献１に開示された、電磁誘導を利用したシステムが知られている。以下、この特許文献１に開示された従来の充電システムについて説明する。
【０００５】
電磁誘導を利用した充電システムは、充電装置には電磁誘導用の１次コイルを、電子機器本体には同じく電磁誘導用の２次コイルを設け、充電装置に設けた１次コイルを励磁して電磁誘導で電子機器本体の２次コイルに電力を供給して電池を充電する構成を有する。
【０００６】
上記の充電システムは、電子機器本体を充電装置の上に置いた時に、充電装置の電源スイッチが投入されていれば、充電装置の上面に配置され、ばねの弾力によって上方に突出される突起が電子機器本体の設置を検知して充電を開始する。そして、電子機器本体の設置が継続される限り充電し続ける。
【０００７】
また、充電装置に電子機器本体の外周を保持するガイドを設け、電子機器本体を充電装置の上に置いた時、充電装置の一時コイルと電子機器本体の２次コイルとの位置合わせが行われるように構成されている。
【０００８】
このような電磁誘導作用を利用する非接触充電方式の充電システムは、コネクタの接続操作が必要な接触充電方式に比べ、電子機器を充電装置に載置するだけで充電が開始されるので非常に使い勝手が良い。
【先行技術文献】
【特許文献】
【０００９】
【特許文献１】特開平１−２９８４８２号公報
【発明の概要】
【発明が解決しようとする課題】
【００１０】
しかしながら、充電中に電子機器の駆動を行う場合、非接触充電方式においては、電磁誘導によって発生する強力な磁界が電子機器内部の信号に影響を与え、電子機器の駆動を阻害するという問題があった。
【００１１】
例えば、電子カメラにおいては、焦点調整手段や測光手段などで被写体からの光を各センサによって受光・蓄積した後、センサからアナログ信号出力を読み出す。その際に、電磁誘導によって発生する磁界がノイズとしてアナログ信号出力に影響を与えてしまうため、正確なＡＦ（オートフォーカス）処理及びＡＥ（自動露出）処理ができなくなってしまっていた。
【００１２】
また、被写体からの光を撮像素子で受光・蓄積した後、撮像素子からアナログ信号出力を読み出す際に、電磁誘導によって発生する磁界が悪影響を与えてしまい、良好な画像データを得られなかった。
【００１３】
本発明は、非接触給電が行われることによって発生する磁界が電子機器の動作に影響を与えてしまうことがあることを通知できるようにすることを目的とする。
【課題を解決するための手段】
【００１４】
本発明に係る電子機器の一つは、焦点調整処理に用いられるセンサと、非接触給電を行う給電装置から供給された電力を受ける受電手段と、前記センサによるアナログ信号の生成が前記給電装置から受けた電力を用いて行われる場合は、前記給電装置からの電力供給が行われる場合に発生する磁界によって前記センサの出力が影響されることを通知するための情報を表示手段に表示するための制御を行う制御手段とを有することを特徴とする。
本発明に係る電子機器の一つは、露出制御処理に用いられるセンサと、非接触給電を行う給電装置から供給された電力を受ける受電手段と、前記センサによるアナログ信号の生成が前記給電装置から受けた電力を用いて行われる場合は、前記給電装置からの電力供給が行われる場合に発生する磁界によって前記センサの出力が影響されることを通知するための情報を表示手段に表示するための制御を行う制御手段とを有することを特徴とする。
【００１５】
本発明に係る電子機器の一つは、撮像素子と、非接触給電を行う給電装置から供給された電力を受ける受電手段と、前記撮像素子によるアナログ信号の生成が前記給電装置から受けた電力を用いて行われる場合は、前記給電装置からの電力供給が行われる場合に発生する磁界によって前記撮像素子の出力が影響されることを通知するための情報を表示手段に表示するための制御を行う制御手段とを有することを特徴とする。
本発明に係る電子機器の一つは、アナログ信号の生成を行うセンサ手段と、非接触給電を行う給電装置から供給された電力を受ける受電手段と、前記センサ手段によるアナログ信号の生成が前記給電装置から受けた電力を用いて行われる場合は、前記給電装置からの電力供給が行われる場合に発生する磁界によって前記センサ手段の出力が影響されることを通知するための情報を表示手段に表示するための制御を行う制御手段とを有することを特徴とする。
【発明の効果】
【００１６】
本発明によれば、非接触給電が行われることによって発生する磁界が電子機器の動作に影響を与えてしまうことがあることを通知することができる。
【図面の簡単な説明】
【００１７】
【図１】発明の実施の形態に係るデジタル一眼レフカメラの内部構成を示すブロック図である。
【図２】図１のデジタル一眼レフカメラが載置される充電装置の内部構成を示すブロック図である。
【図３】図１における電子カメラ本体と図２の充電装置からなる充電システムによって実行される充電処理の第１の実施の形態の手順を示すフローチャートである。
【図４】図３のフローチャートにおける動作シーケンスを示す図である。
【図５】図３のステップＳ１０５において、充電池が１回の撮影に十分な電池残量を有していないと判別された場合の処理の手順を示すフローチャートである。
【図６】図１における電子カメラ本体と図２の充電装置からなる充電システムによって実行される電力供給処理の手順を示すフローチャートである。
【図７】図１における電子カメラ本体と図２の充電装置からなる充電システムによって実行される電力供給停止処理の手順を示すフローチャートである。
【図８】図１における電子カメラ本体と図２の充電装置からなる充電システムによって実行される充電処理の第２の実施の形態の手順を示すフローチャートである。
【図９】図８のフローチャートにおける動作シーケンスを示す図である。
【発明を実施するための形態】
【００１８】
以下、本発明の実施の形態を図面を参照しながら詳細に説明する。
【００１９】
図１は、本発明の実施の形態に係るデジタル一眼レフカメラの内部構成を示すブロック図である。
【００２０】
本実施の形態のデジタル一眼レフカメラは、２次コイルを搭載し、充電装置に搭載された１次コイルとの電磁誘導により電力供給を行う。
【００２１】
図１に示すように、本実施の形態のデジタル一眼レフカメラは、デジタル一眼レフカメラ本体を構成する電子カメラ本体１００、複数の撮影レンズ３１０などから構成される撮影光学系を含む撮影レンズユニット３００、記録媒体２００及び２１０を備える。記録媒体２００及び２１０は電子カメラ本体１００に着脱可能な構成で装着されている。
【００２２】
撮影レンズユニット３００は、撮影レンズ３１０を駆動させる駆動部及び撮影レンズ３１０を透過する光束の入射光量を調整する光量制限手段などを含む構成である。また、撮影レンズユニット３００は、電子カメラ本体１００に対して着脱自在に配設されている。
【００２３】
以下、デジタル一眼レフカメラの構成を動作と併せて説明する。
【００２４】
シャッタ１２は、撮像素子（光電変換素子）１４への露光量を制御する。光学像を電気信号に変換する撮像素子１４は、例えば、ＣＣＤセンサ、ＣＭＯＳセンサなどである。撮影レンズ３１０に入射した光線は、光量制限手段である絞り３１２、レンズマウント３０６及び１０６、ミラー１１２、シャッタ１２を介して導かれ、光学像として撮像素子１４の撮像面上に結像する。
【００２５】
また、ミラー１１２及び１１４により、撮影レンズ３１０に入射した光線を光学ファインダ１１０に導く。尚、ミラー１１２は、クイックリターンミラーの構成としても、ハーフミラーの構成としても、どちらでも構わない。
【００２６】
Ａ／Ｄ変換器１６は、撮像素子１４からのアナログ信号出力をデジタル信号（以下、画像データとする）に変換する。
【００２７】
タイミング発生部（回路、以下、同様）１８は、撮像素子１４、Ａ／Ｄ変換器１６、Ｄ／Ａ変換器２６にクロック信号や制御信号を供給し、メモリ制御部２２及びシステム制御部５０（電子機器側制御手段）により制御される。
【００２８】
画像処理部２０は、Ａ／Ｄ変換器１６からの画像データあるいはメモリ制御部２２からの画像データに対して所定の画素補間処理や色変換処理を行う。また、画像処理部２０は、必要に応じて画像データを用いて所定の演算処理を行う。
【００２９】
そして、得られた演算結果に基づいて、システム制御部５０は、焦点調整部４２、露出制御部４４に対して制御を行うＴＴＬ（スルー・ザ・レンズ）方式のＡＦ処理、ＡＥ処理、ＥＦ（ストロボ調光）処理を行う。更に、画像処理部２０においては、ホワイトバランス制御部３６により得られた演算結果に基づいてＷＢ（ホワイトバランス）処理も行っている。
【００３０】
メモリ制御部２２は、Ａ／Ｄ変換器１６、タイミング発生部１８、画像処理部２０、画像表示メモリ２４、Ｄ／Ａ変換器２６、メモリ３０、圧縮・伸長部３２を制御する。Ａ／Ｄ変換器１６が出力する画像データは、画像処理部２０及びメモリ制御部２２を介して、あるいはメモリ制御部２２のみを介して画像表示メモリ２４あるいはメモリ３０に書き込まれる。
【００３１】
画像表示メモリ２４、Ｄ／Ａ変換器２６、例えば、ＴＦＴ・ＬＣＤなどである画像表示部２８は、画像表示のための処理を行う。具体的には、画像表示メモリ２４に書き込まれた表示用の画像データが、Ｄ／Ａ変換器２６を介して画像表示部２８に出力されて表示される。
【００３２】
画像表示部２８を用いて撮像素子１４で撮像した画像データを逐次表示すれば、電子ビューファインダ機能を実現することも可能である。
【００３３】
記録媒体２００もしくは記録媒体２１０の記録領域２０２もしくは２１２に記録されている画像データを読み出し、圧縮・伸長部３２によって所定の処理を行った後、画像表示メモリ２４及びＤ／Ａ変換器２６を介して画像表示部２８に表示することもできる。
【００３４】
画像に関連付けて記録されている撮像情報データも画像表示部２８に表示することができる。更に、画像表示部２８は、システム制御部５０の指示により任意に表示をオン／オフすることができ、表示をオフにした場合には電子カメラ本体１００の電力消費を大幅に低減することが可能である。
【００３５】
メモリ３０は、撮影した静止画像や動画像を格納するための記憶媒体であり、所定枚数の静止画像や所定時間の動画像を格納するのに十分な記憶容量を備えている。これにより、複数枚の静止画像を連続して撮影する連写撮影の場合にも、高速かつ大容量の画像書き込みをメモリ３０に対して行うことが可能となる。また、メモリ３０は、システム制御部５０の作業領域としても使用することが可能である。
【００３６】
圧縮・伸長部３２は、適応離散コサイン変換（ＡＤＣＴ）などにより画像データを圧縮、伸長する。圧縮・伸長部３２は、メモリ３０に格納された画像データを読み込んで圧縮処理あるいは伸長処理を行い、処理を終えた画像データをメモリ３０に書き込む。
【００３７】
ホワイトバランス算出部３４は、ＴＴＬ方式により撮影した画像データを用いて色温度を算出する。ホワイトバランス制御部３６は、撮影者の光源選択や色温度入力に応じて予め設定されたホワイトバランス調整のゲインなどによって画像処理部２０がホワイトバランスの処理をするのに必要なホワイトバランス補正データを算出する。
【００３８】
シャッタ制御部４０は、露出制御部４４からの測光情報に基づいて、絞り３１２を制御する絞り制御部３３０と連携しながらシャッタ１２を制御する。焦点調整部４２は、ＡＦ処理を行う。
【００３９】
位相差検知方式によるＡＦ処理を行う場合、まず、撮影レンズ３１０に入射した被写体光は、絞り３１２、レンズマウント３０６及び１０６、ミラー１１２、測距用サブミラー（図示せず）を介して焦点調整部４２内の測距センサ４３に入射・露光される。
【００４０】
ここで、測距センサ４３は、焦点調整部４２による焦点調整を行う際に、被写体の合焦状態を観察するための焦点調整用素子として機能する。
【００４１】
そして焦点調整部４２は、被写体光の信号電荷を所定蓄積時間の後、測距センサ４３からアナログ信号出力を読み出し、デフォーカス量を求め、システム制御部５０が光学像として結像された画像の合焦状態を判断する。
【００４２】
合焦していないと判断された場合は、システム制御部５０は、焦点調整部４２から得られたデフォーカス量に基づいてフォーカシングレンズの駆動量を求める。そして、システム制御部５０は、その駆動量に基づいてインターフェース（Ｉ／Ｆ）１２０及び３２０、コネクタ１２２及び３２２を介して測距制御部３３２を制御し、フォーカシングレンズを駆動することによってＡＦ処理を行う。
【００４３】
露出制御部４４は、ＡＥ処理を行うための測光装置である。撮影レンズ３１０に入射した光線は、絞り３１２、レンズマウント３０６及び１０６、ミラー１１２、露出制御部４４内の測光用レンズを介して測光センサ（露出制御用素子）４５に入射・露光される。
【００４４】
露出制御部４４は、被写体光の信号電荷を所定蓄積時間の後、測光センサ４５からアナログ信号出力を読み出してデジタル信号に変換し、システム制御部５０が光学像として結像された画像の露出状態を測定、最適なシャッタ制御値及び絞り制御値を演算する。
【００４５】
ストロボ４６は、ＡＦ補助光の投光機能、ストロボ調光機能も有する。撮像素子１４によって撮像した画像データを画像処理部２０によって演算した演算結果に基づき、システム制御部５０が、シャッタ制御部４０、絞り制御部３３０、測距制御部３３２に対して、ビデオＴＴＬ方式を用いて露出制御及びＡＦ制御をすることもできる。
【００４６】
更に、焦点調整部４２による調整結果と、撮像素子１４によって撮像（撮影）した画像データを画像制御部２０によって演算した演算結果とを共に用いてＡＦ制御を行っても構わない。
【００４７】
そして、露出制御部４４による測定結果と、撮像素子１４によって撮像した画像データを画像処理部２０によって演算した演算結果とを共に用いて露出制御を行っても構わない。
【００４８】
アナログ処理検知部４８は、電子カメラ本体１００内で行われるアナログ信号処理の動作タイミングを検知する。
【００４９】
ここで、アナログ信号処理とは、光電変換素子の信号蓄積処理である。また、アナログ信号処理とは、光電変換素子からのアナログ信号読み出し処理である。
【００５０】
システム制御部５０は、電子カメラ本体１００全体を制御する。メモリ５２は、システム制御部５０の動作用の定数、変数、プログラムなどを記憶する。
【００５１】
表示部５４は、システム制御部５０でのプログラムの実行に応じて、文字、画像、音声などを用いて動作状態やメッセージを表示する、例えば、液晶ディスプレイなどの表示機能、及び動作音や警告音などを発音する、例えば、スピーカーなどの発音機能を備える。
【００５２】
表示部５４は、電子カメラ本体１００の操作部近辺の視認し易い位置に１個もしくは複数個設置され、例えば、ＬＣＤやＬＥＤ、発音素子などの組み合わせにより構成されている。
【００５３】
ここで、デジタル一眼レフカメラの操作手段の具体的な説明を行う。
【００５４】
表示部５４の表示内容のうち、ＬＣＤなどに表示するものとしては、シングルショット／連写撮影表示、セルフタイマ表示、圧縮率表示、記録画素数表示、記録枚数表示、残撮影可能枚数表示、シャッタスピード表示、絞り値表示、露出補正表示がある。
【００５５】
また、ＬＣＤなどに表示するものとしては、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示がある。
【００５６】
また、ＬＣＤなどに表示するものとしては、撮影レンズユニット３００の着脱状態表示、通信Ｉ／Ｆ動作表示、日付・時刻表示、外部コンピュータとの接続状態を示す表示がある。
【００５７】
また、表示部５４の表示内容のうち、光学ファインダ１１０内に表示するものとしては、合焦表示、撮影準備完了表示、手ブレ警告表示、フラッシュ充電表示、フラッシュ充電完了表示がある。
【００５８】
光学ファインダ１１０内に表示するものとしては、シャッタスピード表示、絞り値表示、露出補正表示、記録媒体書き込み動作表示がある。
【００５９】
更に、表示部５４の表示内容のうち、ＬＥＤなどに表示するものとしては、合焦表示、撮影準備完了表示、手ブレ警告表示、フラッシュ充電表示、フラッシュ充電完了表示、記録媒体書き込み動作表示、マクロ撮影設定通知表示、２次電池充電状態表示などがある。
【００６０】
そして、表示部５４の表示内容のうち、ランプなどに表示するものとしては、セルフタイマ通知ランプ表示などがある。このセルフタイマ通知ランプはＡＦ補助光と共用して用いても良い。
【００６１】
電気的に消去・記録可能な不揮発性メモリ５６は、必要に応じてメモリ５２の内容を記録するものであって、例えばＥＥＰＲＯＭなどが用いられる。タイマ５８は、経過時間を測定する。
【００６２】
モードダイヤル６０、レリーズスイッチＳＷ１（６２）及びレリーズスイッチＳＷ２（６４）は、システム制御部５０の各種の動作指示を入力するための操作手段である。その形態は、スイッチやダイヤル、タッチパネル、視線検知によるポインティング、音声認識装置などの単数あるいは複数の組み合わせで構成される。
【００６３】
ここで、これらの操作手段の具体的な説明を行う。
【００６４】
モードダイヤル６０は、自動撮影モード、プログラム撮影モード、シャッタ速度優先撮影モード、絞り優先撮影モード、マニュアル撮影モード、焦点深度優先（デプス）撮影モードを切り替え設定することができる回転式スイッチである。
【００６５】
また、モードダイヤル６０は、ポートレート撮影モード、風景撮影モード、接写撮影モード、スポーツ撮影モード、夜景撮影モード、パノラマ撮影モードなどの各機能撮影モードを切り替え設定することができる回転式スイッチである。
【００６６】
レリーズスイッチＳＷ１（６２）は、レリーズボタン（図示せず）の操作途中でオンとなり、ＡＦ処理、ＡＥ処理、ＷＢ処理、ＥＦ処理などの動作開始を指示する。
【００６７】
レリーズスイッチＳＷ２（６４）は、レリーズボタン（図示せず）の操作完了でオンとなり、撮像素子１４から読み出した信号をＡ／Ｄ変換器１６、メモリ制御部２２を介してメモリ３０に画像データを書き込む露光処理という一連の処理の動作開始を指示する。
【００６８】
レリーズスイッチＳＷ２（６４）は、上記一連の処理に続いて、以下の一連の処理の動作開始を指示する。即ち、画像処理部２０やメモリ制御部２２での演算を用いた現像処理、メモリ３０から画像データを読み出し、圧縮・伸長部３２で圧縮を行い、記録媒体２００あるいは２１０に画像データを書き込む記録処理である。
【００６９】
操作部７０は、各種ボタンやタッチパネルなどからなる。操作部７０は、例えば、メニューボタン、セットボタン、マクロボタン、マルチ画面再生改ページボタン、フラッシュ設定ボタン、単写／連写／セルフタイマ切り替えボタンなどから構成される。
【００７０】
また、操作部７０は、メニュー移動＋（プラス）ボタン、メニュー移動−（マイナス）ボタン、撮影画質選択ボタン、露出補正ボタン、日付／時間設定ボタン、選択／切り替えボタンなどから構成される。
【００７１】
また、操作部７０は、決定／実行ボタン、画像表示オン／オフスイッチ、クイックレビューオン／オフスイッチ、圧縮モードスイッチ、ＡＦモード設定スイッチなどから構成される。
【００７２】
選択／切り替えボタンは、パノラマモードなどの撮影及び再生を実行する際に各種機能の選択及び切り替えを設定するボタンである。決定／実行ボタンは、パノラマモードなどの撮影及び再生を実行する際に各種機能の決定及び実行を設定するボタンである。
【００７３】
画像表示オン／オフスイッチは、画像表示部２８のオン／オフを設定するスイッチであり、オン時は撮像した画像を再生することができる。
【００７４】
クイックレビューオン／オフスイッチは、撮影直後に撮影した画像データを自動再生するクイックレビュー機能を設定するスイッチである。圧縮モードスイッチは、ＪＰＥＧ圧縮の圧縮率を選択するため、あるいは撮像素子の出力する撮像信号をそのままデジタル化して記録媒体に記録するＣＣＤ・ＲＡＷモードを選択するためのスイッチである。
【００７５】
ＡＦモード設定スイッチは、レリーズスイッチＳＷ１（６２）を押したならばオートフォーカス動作を開始し、一旦合焦したならばその合焦状態を保ち続けるワンショットＡＦモードを設定することができるスイッチである。また、ＡＦモード設定スイッチは、レリーズスイッチＳＷ１（６２）を押している間は、連続してオートフォーカス動作を続けるサーボＡＦモードを設定することができるスイッチである。
【００７６】
また、上記プラスボタン及びマイナスボタンは、回転ダイアルスイッチを備えることによって、より軽快に数値や機能を選択することが可能となる。
【００７７】
電源スイッチ７２は、電子カメラ本体１００の電源オン、電源オフの各モードを切り替え設定することができる。また、電子カメラ本体１００に接続された撮影レンズユニット３００、外部ストロボ（図示せず）、記録媒体２００、２１０などの各種付属装置の電源オン、電源オフの設定も合わせて切り替え設定することができる。
【００７８】
電源制御部８０は、電池検知部、ＤＣ／ＤＣコンバータ、通電するブロックを切り替えるスイッチ部などにより構成されている。電源制御部８０は、充電池８２の電池残量検知を行い、電池残量検知結果及びシステム制御部５０の指示に基づいてＤＣ／ＤＣコンバータを制御し、必要な電圧を、必要な期間、記録媒体を含む各部へ供給する。
【００７９】
充電池８２は、ＮｉＣｄ電池やＮｉＭＨ電池、Ｌｉ電池などの２次電池からなり、電子カメラ本体１００の電源となる。
【００８０】
充電制御部８４は、２次コイル８６に所定の電圧値以上の起電力が励起している時に充電池８２への充電を行う。また、２次コイル８６に生じた起電力は、充電制御部８４から電源制御部８０にも導かれている。
【００８１】
電子カメラ本体１００が充電装置４００（図２）に載置され、且つ電子カメラ本体１００の電源スイッチ７２がオンされている時には、充電装置（図２、４００）を充電池８２に代わる電源として電子カメラ本体１００を動作させることができる。
【００８２】
２次コイル８６は、電子カメラ本体１００が充電装置４００に載置されている時に、充電装置４００に搭載している１次コイル４１６（図２）で発生させた磁界によって起電力が生じるコイルである。２次コイル８６は、電磁誘導を利用する非接触充電方式における受電手段（受電コイル）として機能する。
【００８３】
システム制御部５０は、送信部８８から、電子カメラ本体１００が載置される充電装置４００の受信部４１８（図２）に電子カメラ本体１００に対する電力供給開始信号もしくは電力供給停止信号を送信する。
【００８４】
充電装置検知部８９は、電子カメラ本体１００が充電装置４００に搭載されたか否かを検知する。
【００８５】
メモリカードやハードディスクなどの記録媒体２００、２１０とのインターフェース（Ｉ／Ｆ）９０及び９４、記録媒体２００、２１０と接続を行うコネクタ９２及び９６がある。
【００８６】
記録媒体着脱検知部９８は、コネクタ９２及び９６に記録媒体２００あるいは２１０が装着されているか否かを検知する。尚、本実施の形態では、記録媒体２００、２１０を取り付けるインターフェース及びコネクタを２系統持つものとして説明している。
【００８７】
もちろん、記録媒体２００、２１０を取り付けるインターフェース及びコネクタは、１つもしくは３つ以上、を備える構成としても構わない。また、異なる規格のインターフェース及びコネクタを組み合わせて備える構成としても構わない。
【００８８】
通信部１１６は、ＲＳ２３２ＣやＵＳＢ、ＩＥＥＥ１３９４、Ｐ１２８４、ＳＣＳＩ、モデム、ＬＡＮ、無線通信などの各種通信機能を有する。コネクタ（無線通信の場合はアンテナ）１１８は、通信部１１６により電子カメラ本体１００を他の機器と接続する。
【００８９】
インターフェース１２０は、レンズマウント１０６内において、電子カメラ本体１００を撮影レンズユニット３００と接続するためのものである。コネクタ１２２は、電子カメラ本体１００を撮影レンズユニット３００と電気的に接続する。
【００９０】
レンズ着脱検知部１２４は、レンズマウント１０６及び／又はコネクタ１２２に撮影レンズユニット３００が装着されているか否かを検知する。
【００９１】
コネクタ１２２は、電子カメラ本体１００と撮影レンズユニット３００との間で制御信号、状態信号、データ信号などを伝え合うと共に、各種電圧の電流を供給する機能も備えている。また、コネクタ１２２は、電気通信のみならず、光通信、音声通信などを伝達する構成としても良い。
【００９２】
記録媒体２００は、半導体メモリや磁気ディスクなどから構成される記録領域２０２、電子カメラ本体１００とのインターフェース（Ｉ／Ｆ）２０４、電子カメラ本体１００と接続を行うコネクタ２０６を備えている。記録領域２０２には、画像データが記録され、また、撮像情報が撮像情報データとして画像データに関連付けて記録される。
【００９３】
記録媒体２１０は、半導体メモリや磁気ディスクなどから構成される記録領域２１２、電子カメラ本体１００とのインターフェース（Ｉ／Ｆ）２１４、電子カメラ本体１００と接続を行うコネクタ２１６を備えている。記録領域２１２には、画像データが記録され、また、撮像情報が撮像情報データとして画像データに関連付けて記録される。
【００９４】
ここで、上述した撮影レンズユニット３００について更に詳細に説明する。
【００９５】
撮影レンズユニット３００は、上述したように交換レンズタイプの撮影レンズユニットである。
【００９６】
レンズマウント３０６は、撮影レンズユニット３００を電子カメラ本体１００と機械的に結合する。レンズマウント３０６内には、撮影レンズユニット３００を電子カメラ本体１００と電気的に接続する各種機能が含まれている。
【００９７】
インターフェース３２０は、レンズマウント３０６内において、撮影レンズユニット３００を電子カメラ本体１００と接続するためのものである。コネクタ３２２は、撮影レンズユニット３００を電子カメラ本体１００と電気的に接続する。
【００９８】
コネクタ３２２は、電子カメラ本体１００とレンズユニット３００との間で制御信号、状態信号、データ信号などを伝え合うと共に、各種電圧の電流を供給されるあるいは供給する機能も備えている。また、コネクタ３２２は、電気通信のみならず、光通信、音声通信などを伝達する構成としても良い。
【００９９】
絞り制御部３３０は、露出制御部４４からの測光情報に基づいて、シャッタ１２を制御するシャッタ制御部４０と連携しながら、絞り３１２を制御する。測距制御部３３２は、撮影レンズ３１０のフォーカシングを制御する。
【０１００】
ズーム制御部３３４は、撮影レンズ３１０のズーミングを制御する。レンズ制御部３３６は、撮影レンズユニット３００全体を制御する。レンズ制御部３３６は、動作用の定数、変数、プログラムなどを記憶するメモリの機能を備えている。また、レンズ制御部３３６は、撮影レンズユニット３００固有の番号などの識別情報、管理情報、開放絞り値や最小絞り値、焦点距離などの機能情報、現在や過去の各設定値などを保持する不揮発メモリの機能も備えている。
【０１０１】
続いて、図２を用いて充電装置４００の構成を説明する。
【０１０２】
図２は、図１のデジタル一眼レフカメラが載置される充電装置の内部構成を示すブロック図である。
【０１０３】
図２において、システム制御部４１０（充電装置側制御手段）は、充電装置４００全体を制御する。システム制御部４１０は、受信部４１８から送られてくる信号を取得して、電磁誘導による電力供給の開始・停止を判断し、ＡＣ／ＤＣ変換部４１２を制御する。
【０１０４】
ＡＣ／ＤＣ変換部４１２は、商用電源からＡＣコード４１３を介して供給される交流の電圧を所定の電圧に降圧させると共に直流に整流し、所定の電圧に安定化して、充電装置４００の各部に電力を供給する。
【０１０５】
発振部４１４は、所定の周波数の高周波を発生させる。１次コイル４１６は、発振部４１４にて発生させた高周波が入力されることによって、磁束数が時間経過に応じて変化する磁界を生じさせるコイルであり、電磁誘導作用を利用する非接触充電方式における送電手段（送電コイル）として機能する。
【０１０６】
電子カメラ本体１００に搭載の２次コイル８６は、この１次コイル４１６が生じさせた磁界中に置かれることによって起電力が生じる。
【０１０７】
受信部４１８は、電子カメラ本体１００に搭載の送信部８８から送信される電磁誘導による電力供給の開始・停止信号を受信する。送信部８８と受信部４１８の通信方法としては、赤外線通信や各種コネクタを介した通信などが考えられる。
【０１０８】
（第１の実施の形態）
磁界ノイズの影響がある信号電荷の蓄積時と、アナログ信号出力の読み出し時に充電装置４００からの電力供給を停止する場合の動作について説明する。
【０１０９】
図３は、図１における電子カメラ本体と図２の充電装置からなる充電システムによって実行される充電処理の第１の実施の形態の手順を示すフローチャートである。
【０１１０】
また、図４は、図３のフローチャートにおける動作シーケンスを示す図である。
【０１１１】
図３において、まず、システム制御部５０は、充電装置検知部８９によって、電子カメラ本体１００が充電装置４００に載置されているか否かを判別する（ステップＳ１０１）。
【０１１２】
電子カメラ本体１００が充電装置４００に載置されていなかった場合は（ステップＳ１０１のＮＯ側）、電子カメラ本体１００が充電装置４００に載置されていることを検知するまで、充電装置検知部８９による検知を繰り返す。
【０１１３】
電子カメラ本体１００が充電装置４００に載置されている場合は（ステップＳ１０１のＹＥＳ側）、充電装置４００からの電磁誘導による電力供給を開始する（ステップＳ１０２）。続いて、システム制御部５０は、レリーズスイッチＳＷ１（６２）がオンされたか否かを判別する（ステップＳ１０３）。
【０１１４】
レリーズスイッチＳＷ１（６２）がオンされていない場合は（ステップＳ１０３のＮＯ側）、システム制御部５０は、充電装置検知部８９によって、電子カメラ本体１００が充電装置４００に載置されているか否かを判別する（ステップＳ１０４）。
【０１１５】
電子カメラ本体１００が充電装置４００に載置されていなかった場合は（ステップＳ１０４のＮＯ側）、ステップＳ１１７へ進み、電子カメラ本体１００が充電装置４００に載置されている場合は（ステップＳ１０４のＹＥＳ側）、ステップＳ１０３に戻る。
【０１１６】
レリーズスイッチＳＷ１（６２）がオンされた場合は（ステップＳ１０３のＹＥＳ側）、ステップＳ１０５へ進む。
【０１１７】
ステップＳ１０５において、電源制御部８０が充電池８２の電池残量検知を行い、システム制御部５０は、電池残量検知結果から、充電池８２が１回の撮影に十分な電池残量を有しているか否かを判別する。
【０１１８】
充電池８２が１回の撮影に十分な電池残量を有していないと判別された場合は（ステップＳ１０５のＮＯ側）、図５のステップＳ２００に進む。
【０１１９】
充電池８２が１回の撮影に十分な電池残量を有していると判別された場合は（ステップＳ１０５のＹＥＳ側）、ステップＳ１０６へ進む。
【０１２０】
ステップＳ１０６において、アナログ処理検知部４８により測距センサ４３及び測光センサ４５の信号電荷蓄積動作が検知されると、システム制御部５０は、送信部８８から電力供給停止信号を送信するように制御する。受信部４１８が電力供給停止信号を受信すると、システム制御部４１０は発振部４１４の動作を停止するように制御する。これによって、充電装置４００からの電力供給を停止する。
【０１２１】
次に、焦点調整部４２内の測距センサ４３及び露出制御部４４内の測光センサ４５に被写体光が入射・露光され、信号電荷が所定時間蓄積される。蓄積終了後、システム制御部５０は、焦点調整部４２及び露出制御部４４を制御して、測距センサ４３及び測光センサ４５から蓄積された信号電荷のアナログ信号出力を読み出し、ＡＦ処理及びＡＥ処理を行う（ステップＳ１０７）。
【０１２２】
ステップＳ１０７において、ＡＦ処理及びＡＥ処理が終了すると、アナログ処理検知部４８により、測距センサ４３及び測光センサ４５のアナログ信号出力読み出し動作終了が検知される。それにより、システム制御部５０は、送信部８８から電力供給開始信号を送信するように制御する。受信部４１８が電力供給開始信号を受信すると、システム制御部４１０は発振部４１４の動作を開始するように制御する。これによって、充電装置４００からの電力供給を開始する（ステップＳ１０８）。
【０１２３】
そして、システム制御部５０は、レリーズスイッチＳＷ１（６２）がまだオンされ続けているか否かを判別する（ステップＳ１０９）。
【０１２４】
レリーズスイッチＳＷ１（６２）がオンされていない場合は（ステップＳ１０９のＮＯ側）、ステップＳ１０３に戻る。
【０１２５】
レリーズスイッチＳＷ１（６２）がオンされている場合は（ステップＳ１０９のＹＥＳ側）、システム制御部５０は、レリーズスイッチＳＷ２（６４）がオンされたか否かを判別する（ステップＳ１１０）。
【０１２６】
レリーズスイッチＳＷ２（６４）がオンされていない場合は（ステップＳ１１０のＮＯ側）、ステップＳ１０９に戻る。
【０１２７】
レリーズスイッチＳＷ２（６４）がオンされた場合は（ステップＳ１１０のＹＥＳ側）、アナログ処理検知部４８により撮像素子１４の信号電荷蓄積動作が検知されると、システム制御部５０は、送信部８８から電力供給停止信号を送信するように制御する。受信部４１８が電力供給停止信号を受信すると、システム制御部４１０は発振部４１４の動作を停止するように制御する。これによって、充電装置４００からの電力供給を停止する（ステップＳ１１１）。
【０１２８】
そして、露出制御部４４の測光結果からシステム制御部５０が露出演算で決定した露光時間に基づいて、シャッタ制御部４０は、シャッタ１２を制御駆動し、撮像素子１４は、装着された撮影レンズユニット３１０を透過した光線を受光し、信号電荷を蓄積する。そして、システム制御部５０は、タイミング発生部１８を制御して、撮像素子１４から蓄積された信号電荷のアナログ信号出力を読み出す（ステップＳ１１２）。
【０１２９】
撮像素子１４での蓄積及び撮像素子１４からのアナログ信号出力の読み出しが終了すると、アナログ処理検知部４８により撮像素子１４からのアナログ信号出力読み出し動作終了が検知される。システム制御部５０は、送信部８８から電力供給開始信号を送信するように制御する。受信部４１８が電力供給開始信号を受信すると、システム制御部４１０は発振部４１４の動作を開始するように制御する。これによって、充電装置４００からの電力供給を開始する（ステップＳ１１３）。
【０１３０】
撮像素子１４から読み出されたアナログ信号出力は、Ａ／Ｄ変換器１６によってデジタル信号に変換された画像データとなる。デジタル信号となった画像データは、画像処理部２０により、所定の画素補間処理や色変換処理などの画像処理が行われる（ステップＳ１１４）。
【０１３１】
更に、ステップＳ１１４にて画像処理を施された画像データは、メモリ制御部２２を介して、あるいはＡ／Ｄ変換器１６の画像データが直接メモリ制御部２２を介して画像メモリ２４あるいはメモリ３０に書き込まれる。画像メモリ２４あるいはメモリ３０に書き込まれた画像データは、画像表示部２８に表示されると共に、記録媒体２００の記録領域２０２及び（もしくは）記録媒体２１０の記録媒体２１２に記録される（ステップＳ１１５）。
【０１３２】
システム制御部５０は、充電装置検知部８９によって、電子カメラ本体１００が充電装置４００に載置されているか否かを判別する（ステップＳ１１６）。
【０１３３】
電子カメラ本体１００が充電装置４００に載置されている場合は（ステップＳ１１６のＹＥＳ側）、ステップＳ１０３に戻る。
【０１３４】
電子カメラ本体１００が充電装置４００に載置されていない場合は（ステップＳ１１６のＮＯ側）、充電装置４００からの電磁誘導による電力供給を停止し（ステップＳ１１７）、終了となる。
【０１３５】
図５は、図３のステップＳ１０５において、充電池が１回の撮影に十分な電池残量を有していないと判別された場合の処理の手順を示すフローチャートである。
【０１３６】
図３のステップＳ１０４において、充電池８２が１回の撮影に十分な電池残量を有していないと判別された場合、撮影を行うためには充電装置４００からの電力供給を停止することができない。
【０１３７】
しかし、その場合、電磁誘導によって発生する磁界がノイズとしてアナログ信号出力に影響を与えてしまう。そこで、システム制御部５０は、表示部５４を制御して、電磁誘導によって発生する磁界が撮影に係る諸動作に影響を与えてしまう旨を示す警告を表示する（ステップＳ２０１）。
【０１３８】
システム制御部５０は、被写体光を測光センサ４５に露光・蓄積し、読み出したアナログ信号出力から露出演算を行って、被写体輝度が適正レベルとなるようにシャッタスピードや絞り値を決定するＡＥ処理を行う。また、システム制御部５０は、被写体光を測距センサ４３に露光・蓄積し、読み出したアナログ信号出力から測距演算を行う。そして、システム制御部５０は、選択された焦点検知ポイントで合焦となるように、インターフェース１２０及び３２０、コネクタ１２２及び３２２を介して測距制御部３３２を制御し、フォーカシングレンズを駆動する。これによってＡＦ処理を行う（ステップＳ２０２）。
【０１３９】
ＡＦ処理及びＡＥ処理が終了した後、システム制御部５０は、レリーズスイッチＳＷ１（６２）がまだオンされ続けているか否かを判別する（ステップＳ２０３）。
【０１４０】
レリーズスイッチＳＷ１（６２）がオンされていない場合は（ステップＳ２０３のＮＯ側）、図３のステップＳ１０３に戻る。
【０１４１】
レリーズスイッチＳＷ１（６２）がオンされている場合は（ステップＳ２０３のＹＥＳ側）、システム制御部５０は、レリーズスイッチＳＷ２（６４）がオンされたか否かを判別する（ステップＳ２０４）。
【０１４２】
レリーズスイッチＳＷ２（６４）がオンされていない場合は（ステップＳ２０４のＮＯ側）、レリーズスイッチＳＷ２（６４）がオンされるまで判別を繰り返す。
【０１４３】
レリーズスイッチＳＷ２（６４）がオンされた場合は（ステップＳ２０４のＹＥＳ側）、露出制御部４４の測光結果からシステム制御部５０が露出演算で決定した露光時間に基づいて、シャッタ制御部４０は、シャッタ１２を制御駆動する。また、撮像素子１４は装着された撮影レンズ３１０を透過した光線を受光、信号電荷を蓄積する撮影に係る一連の動作を行う（ステップＳ２０５）。
【０１４４】
露光動作を開始すると、撮像素子１４からのアナログ信号出力をＡ／Ｄ変換器１６によってデジタル信号に変換し、デジタル信号となった画像データに対し、画像処理部２０により所定の画素補間処理や色変換処理などの画像処理が行われる（ステップＳ２０６）。
【０１４５】
ステップＳ２０６にて画像処理を施された画像データは、メモリ制御部２２を介して、あるいはＡ／Ｄ変換器１６の画像データが直接メモリ制御部２２を介して画像メモリ２４あるいはメモリ３０に書き込まれる。画像メモリ２４あるいはメモリ３０に書き込まれた画像データは、画像表示部２８に表示されると共に、記録媒体２００の記録領域２０２及び（もしくは）記録媒体２１０の記録媒体２１２に記録される（ステップＳ２０７）。そして図３のステップＳ１１６へ戻る。
【０１４６】
次に、充電装置４００から電子カメラ本体１００への電磁誘導による電力供給開始動作について、図１及び図２、図６を用いて説明する。
【０１４７】
図６は、図１における電子カメラ本体と図２の充電装置からなる充電システムによって実行される電力供給処理の手順を示すフローチャートである。
【０１４８】
図６において、まず、システム制御部５０は、送信部８８を制御して、充電装置４００内の受信部４１８に対して、電磁誘導による電力供給開始を指示する信号を送信する（ステップＳ３０１）。
【０１４９】
ステップＳ３０１で送信部８８によって送信された電力供給開始を指示する信号は、充電装置４００内の受信部４１８によって受信される（ステップＳ３０２）。
【０１５０】
そして、充電装置４００のシステム制御部４１０は、ＡＣ／ＤＣ変換部４１２を制御して、商用電源からＡＣコード４１３を介して発振部４１４に電力を供給させる。電力供給を受けた発振部４１４は、高周波を発生させて１次コイル４１６に入力し、１次コイル４１６に磁界を発生させる。１次コイル４１６からの磁界を受けた電子カメラ本体１００内の２次コイル８６には起電力が生じる。こうして電磁誘導による電力供給が開始される（ステップＳ３０３）。
【０１５１】
充電制御部８４は、２次コイル８６に所定の電圧値以上の起電力が発生しているか否かを判別する（ステップＳ３０４）。
【０１５２】
２次コイル８６に所定の電圧値以上の起電力が発生していない場合は（ステップＳ３０４のＮＯ側）、所定の電圧値以上の起電力が発生するまで判別を繰り返す。
【０１５３】
２次コイル８６に所定の電圧値以上の起電力が発生している場合は（ステップＳ３０４のＹＥＳ側）、システム制御部５０は、電源スイッチ７２がオンされているか否かを判別し、電子カメラ本体１００が動作中であるか否かを確認する（ステップＳ３０５）。
【０１５４】
電源スイッチ７２がオンされており、電子カメラ本体１００が動作中である場合は（ステップＳ３０５のＹＥＳ側）、充電制御部８４は、２次コイル８６で発生した起電力を電源制御部８０に供給する。電源制御部８０は、システム制御部５０の指示に基づいてＤＣ／ＤＣコンバータを制御し、必要な電圧を必要な期間、記録媒体２００、２１０を含む各部へ供給する（ステップＳ３０６）。
【０１５５】
電源スイッチ７２がオフであり、電子カメラ本体１００が動作中でなかった場合（ステップＳ３０５のＮＯ側）、充電制御部８４は、２次コイル８６で発生した起電力を充電池８２に供給し、充電池８２を充電する（ステップＳ３０７）。そして、処理を終了する。
【０１５６】
次に、充電装置４００から電子カメラ本体１００への電磁誘導による電力供給停止動作について、図１及び図２、図７を用いて説明する。
【０１５７】
図７は、図１における電子カメラ本体と図２の充電装置からなる充電システムによって実行される電力供給停止処理の手順を示すフローチャートである。
【０１５８】
図７において、まず、システム制御部５０は、電源スイッチ７２がオンされているか否かを判別し、電子カメラ本体１００が動作中であるか否かを確認する（ステップＳ４０１）。
【０１５９】
電源スイッチ７２がオンされており、電子カメラ本体１００が動作中である場合（ステップＳ４０１のＹＥＳ側）、システム制御部５０は、電源制御部８０及び充電制御部８４を制御して、電子カメラ本体１００の電源を充電装置４００から充電池８２に切り替える（ステップＳ４０２）。電子カメラ本体１００の電源を切り替えた後はステップＳ４０３に進む。
【０１６０】
電源スイッチ７２がオフであり、電子カメラ本体１００が動作中でなかった場合は（ステップＳ４０１のＮＯ側）、ステップＳ４０３へ進む。
【０１６１】
ステップＳ４０３において、システム制御部５０は、送信部８８を制御して、充電装置４００内の受信部４１８に対して、電磁誘導による電力供給停止を指示する信号を送信する。
【０１６２】
ステップＳ４０３で送信部８８によって送信された電力供給停止を指示する信号は、充電装置４００内の受信部４１８によって受信される（ステップＳ４０４）。
【０１６３】
そして、充電装置４００のシステム制御部４１０は、ＡＣ／ＤＣ変換部４１２を制御して商用電源ＡＣコード４１３を介する発振部４１４への電力供給を停止する。発振部４１４への電力供給が停止すると、発振部４１４の高周波発生が停止するため、１次コイル４１６の磁界発生も停止する。よって、１次コイル４１６からの磁界を受ける電子カメラ本体１００内の２次コイル８６の起電力発生も停止する。こうして電磁誘導による電力供給が停止される（ステップＳ４０５）。そして、処理を終了する。
【０１６４】
以上説明したように、本実施の形態に係る電子機器、充電装置及び充電システムでは、電子機器の駆動中に充電装置から非接触の電力供給を受けても、電子機器がアナログ信号処理を行っている間は電力供給を停止する。電力の供給の停止と再開は、ステップＳ１０６〜ステップＳ１０８、ステップＳ１１１〜ステップＳ１１３に示す通りである。
【０１６５】
従って、電磁誘導によって発生する磁界ノイズが電子機器の駆動に悪影響を与えるのを防止することが可能である。
【０１６６】
（第２の実施の形態）
磁界ノイズの影響が強いアナログ信号出力の読み出し時のみ充電装置４００からの電力供給を停止する場合の動作について説明する。
【０１６７】
図８は、図１における電子カメラ本体と図２の充電装置からなる充電システムによって実行される充電処理の第２の実施の形態の手順を示すフローチャートである。
【０１６８】
また、図９は、図８のフローチャートにおける動作シーケンスを示す図である。
【０１６９】
図８において、まず、システム制御部５０は、充電装置検知部８９によって、電子カメラ本体１００が充電装置４００に載置されているか否かを判別する（ステップＳ５０１）。
【０１７０】
電子カメラ本体１００が充電装置４００に載置されていなかった場合は（ステップＳ５０１のＮＯ側）、電子カメラ本体１００が充電装置４００に載置されていることを検知するまで、充電装置検知部８９による検知を繰り返す。
【０１７１】
電子カメラ本体１００が充電装置４００に載置されている場合は（ステップＳ５０１のＹＥＳ側）、充電装置４００からの電磁誘導による電力供給を開始する（ステップＳ５０２）。電磁誘導による電力供給開始動作の詳細については、図６で説明した通りである。
【０１７２】
続いて、システム制御部５０は、レリーズスイッチＳＷ１（６２）がオンされたか否かを判別する（ステップＳ５０３）。
【０１７３】
レリーズスイッチＳＷ１（６２）がオンされていない場合は（ステップＳ５０３のＮＯ側）、システム制御部５０は、充電装置検知部８９によって電子カメラ本体１００が充電装置４００に載置されているか否かを判別する（ステップＳ５０４）。
【０１７４】
電子カメラ本体１００が充電装置４００に載置されていなかった場合は（ステップＳ５０４のＮＯ側）、ステップＳ５２４へ進み、電子カメラ本体１００が充電装置４００に載置されている場合は（ステップＳ５０４のＹＥＳ側）、ステップＳ５０３に戻る。
【０１７５】
レリーズスイッチＳＷ１（６２）がオンされた場合は（ステップＳ５０３のＹＥＳ側）、電源制御部８０が充電池８２の電池残量検知を行う。システム制御部５０は、電池残量検知結果から、充電池８２が１回の撮影に十分な電池残量を有しているか否かを判別する（ステップＳ５０５）。
【０１７６】
充電池８２が１回の撮影に十分な電池残量を有していないと判別された場合は（ステップＳ５０５のＮＯ側）、図５のステップＳ２００に進む。
【０１７７】
充電池８２が１回の撮影に十分な電池残量を有していると判別された場合は（ステップＳ５０５のＹＥＳ側）、システム制御部５０は、ＡＦ処理及びＡＥ処理を開始する（ステップＳ５０６）。
【０１７８】
ＡＦ処理及びＡＥ処理を開始すると、焦点調整部４２内の測距センサ４３及び露出制御部４４内の測光センサ４５に被写体光が入射・露光され、信号電荷が所定時間蓄積される。システム制御部５０は、タイマ５８によって、測距センサ４３及び測光センサ４５の蓄積時間を制御している。
【０１７９】
次にシステム制御部５０は、タイマ５８が蓄積終了時間（測距センサ４３及び測光センサ４５のアナログ信号出力読み出し開始時間）になったか否かを判別する（ステップＳ５０７）。
【０１８０】
タイマ５８が蓄積終了時間になっていない場合は（ステップＳ５０７のＮＯ側）、タイマ５８が蓄積終了時間になるまで判別を繰り返す。
【０１８１】
タイマ５８が蓄積終了時間になった場合は（ステップＳ５０７のＹＥＳ側）、アナログ処理検知部４８により測距センサ４３及び測光センサ４５に蓄積された信号電荷の読み出し開始が検知される。すると、システム制御部５０は、送信部８８から電力供給停止信号を送信するように制御する。受信部４１８が電力供給停止信号を受信すると、システム制御部４１０は発振部４１４の動作を停止するように制御する。これによって、充電装置４００からの電力供給を停止する（ステップＳ５０８）。電磁誘導による電力供給停止動作の詳細については、図７で説明した通りである。
【０１８２】
ステップＳ５０８にて充電装置４００からの電力供給を停止後、システム制御部５０は、焦点調整部４２及び露出制御部４４を制御して、測距センサ４３及び測光センサ４５から蓄積された信号電荷のアナログ信号出力を読み出す（ステップＳ５０９）。
【０１８３】
そして、システム制御部５０は、ステップＳ５０８における測距センサ４３及び測光センサ４５から蓄積された信号電荷のアナログ信号出力の読み出しが終了したか否かを判別する（ステップＳ５１０）。
【０１８４】
アナログ信号出力の読み出しが終了していない場合は（ステップＳ５１０のＮＯ側）、アナログ信号出力の読み出しが終了するまで判別を繰り返す。
【０１８５】
測距センサ４３及び測光センサ４５から蓄積されたアナログ信号出力の読み出しが終了した場合は（ステップＳ５１０のＹＥＳ側）、アナログ処理検知部４８により測距センサ４３及び測光センサ４５からのアナログ信号出力読み出し動作の終了が検知される。システム制御部５０は、送信部８８から電力供給開始信号を送信するように制御する。受信部４１８が電力供給開始信号を受信すると、システム制御部４１０は発振部４１４の動作を開始するように制御する。これによって、充電装置４００からの電力供給を開始する（ステップＳ５１１）。
【０１８６】
システム制御部５０は、測光センサ４５から読み出したアナログ信号出力から露出演算を行い、被写体輝度が適正レベルとなるようにシャッタスピードや絞り値を決定するＡＥ処理を行う。また、システム制御部５０は、測距センサ４３から読み出したアナログ信号出力から測距演算を行い、選択された焦点検知ポイントで合焦となるように、インターフェース１２０及び３２０、コネクタ１２２及び３２２を介して測距制御部３３２を制御する。そして、フォーカシングレンズを駆動することによってＡＦ処理を行う（ステップＳ５１２）。
【０１８７】
ＡＦ処理及びＡＥ処理が終了した後、システム制御部５０は、レリーズスイッチＳＷ１（６２）がまだオンされ続けているか否かを判別する（ステップＳ５１３）。
【０１８８】
レリーズスイッチＳＷ１（６２）がオンされていない場合は（ステップＳ５１３のＮＯ側）、ステップＳ５０３に戻る。
【０１８９】
レリーズスイッチＳＷ１（６２）がオンされている場合は（ステップＳ５１３のＹＥＳ側）、システム制御部５０は、レリーズスイッチＳＷ２（６４）がオンされたか否かを判別する（ステップＳ５１４）。
【０１９０】
レリーズスイッチＳＷ２（６４）がオンされていない場合は（ステップＳ５１４のＮＯ側）、ステップＳ５１３に戻る。
【０１９１】
レリーズスイッチＳＷ２（６４）がオンされた場合は（ステップＳ５１４のＹＥＳ側）、システム制御部５０は、演算で決定した露光時間に基づいてシャッタ制御部４０を介してシャッタ１２を駆動制御する。また、撮像素子１４は、装着された撮影レンズ３１０を透過した光線を受光し、信号電荷の蓄積を開始する（ステップＳ５１５）。
【０１９２】
その際、システム制御部５０は、タイマ５８及びタイミング発生部１８によって、撮像素子１４の信号電荷蓄積時間を制御している。
【０１９３】
次に、システム制御部５０は、タイマ５８が蓄積終了時間（撮像素子のアナログ信号出力読み出し開始時間）になったか否かを判別する（ステップＳ５１６）。
【０１９４】
タイマ５８が蓄積終了時間になっていない場合は（ステップＳ５１６のＮＯ側）、タイマ５８が蓄積終了時間になるまで判別を繰り返す。
【０１９５】
タイマ５８が蓄積終了時間になった場合は（ステップＳ５１６のＹＥＳ側）、アナログ処理検知部４８により撮像素子１４に蓄積された信号電荷の読み出し開始が検知されると、システム制御部５０は、送信部８８から電力供給停止信号を送信するように制御する。受信部４１８が電力供給停止信号を受信すると、システム制御部４１０は発振部４１４の動作を停止するように制御する。これによって、充電装置４００からの電力供給を停止する（ステップＳ５１７）。
【０１９６】
ステップＳ５１７にて充電装置４００からの電力供給を停止後、システム制御部５０は、タイミング発生部１８を制御して、撮像素子１４から蓄積された信号電荷のアナログ信号出力を読み出す（ステップＳ５１８）。
【０１９７】
そして、システム制御部５０は、ステップＳ５１８における撮像素子１４から蓄積された信号電荷のアナログ信号出力の読み出しが終了したか否かを判別する（ステップＳ５１９）。
【０１９８】
アナログ信号出力の読み出しが終了していない場合は（ステップＳ５１９のＮＯ側）、アナログ信号出力の読み出しが終了するまで判別を繰り返す。
【０１９９】
撮像素子１４から蓄積されたアナログ信号出力の読み出しが終了した場合（ステップＳ５１９のＹＥＳ側）、アナログ処理検知部４８により撮像素子１４からのアナログ信号出力読み出し動作終了が検知される。システム制御部５０は、送信部８８から電力供給開始信号を送信するように制御する。受信部４１８が電力供給開始信号を受信すると、システム制御部４１０は発振部４１４の動作を開始するように制御する。これによって、充電装置４００からの電力供給を開始する（ステップＳ５２０）。
【０２００】
撮像素子１４から読み出されたアナログ信号出力は、Ａ／Ｄ変換器１６によってデジタル信号に変換し、デジタル信号となった画像データに対して、画像処理部２０により所定の画素補間処理や色変換処理などの画像処理が行われる（ステップＳ５２１）。
【０２０１】
そして、画像処理された画像データは、記録媒体２００及び（もしくは）記録媒体２１０の記録領域２０２、２１２に記録される（ステップＳ５２２）。
【０２０２】
システム制御部５０は、充電装置検知部８９によって、電子カメラ本体１００が充電装置４００に載置されているか否かを判別する（ステップＳ５２３）。
【０２０３】
電子カメラ本体１００が充電装置４００に載置されている場合は（ステップＳ５２３のＹＥＳ側）、ステップＳ５０３に戻る。
【０２０４】
電子カメラ本体１００が充電装置４００に載置されていない場合は（ステップＳ５２３のＮＯ側）、充電装置４００は電磁誘導による電力供給を停止し（ステップＳ５２４）、終了となる。
【０２０５】
以上説明したように、本実施の形態に係る電子機器、充電装置及び充電システムでは、電子機器の駆動中に充電装置４００から非接触の電力供給を受けても、電子機器がアナログ信号処理を行っている間は電力供給を停止する。電力供給の停止と再開は、ステップＳ５０８〜ステップＳ５１１、ステップＳ５１７〜ステップＳ５２０に示される。
【０２０６】
従って、電磁誘導によって発生する磁界ノイズが電子機器の駆動に悪影響を与えるのを防止することが可能である。
【符号の説明】
【０２０７】
１４  撮像素子
４２  焦点調整部
４３  測距センサ
４４  露出制御部
４５  測光センサ
４８  アナログ信号処理部
５０  システム制御部
８６  ２次コイル
８８  送信部
１００  電子カメラ本体
【図１】
0005697718.tif 000002
【図２】
0005697718.tif 000003
【図３】
0005697718.tif 000004
【図４】
0005697718.tif 000005
【図５】
0005697718.tif 000006
【図６】
0005697718.tif 000007
【図７】
0005697718.tif 000008
【図８】
0005697718.tif 000009
【図９】
0005697718.tif 000010